(57)【特許請求の範囲】
【請求項１】
流動物が流動する第一の流路、第二の流路及び第三の流路を１個の合流点で接合してなる分岐流路と、
外部から前記第一の流路に前記流動性物質を流入させるための吸引力と、前記第二の流路から外部に該流動性物質を流体を流出させるための押出力とを、前記分岐流路に供給するために、前記第三の流路に設けられたシリンジと、
前記第一の流路から前記流体物が流出することを防止するために該第一の流路の開口端に設けられた第一の弁部と、
前記第二の流路から前記流体物が流入することを防止するために該第二の流路の開口端に設けられた第二の弁部と、
を備える三方活栓ユニットであって、
前記第一の弁部又は前記第二の弁部の少なくとも一方は、
第一の筒部と、該第一の筒部の一方の開口端を塞ぐ弁座と、該弁座に設けられた開口とを有する第一のハウジングと、
該第一のハウジングの前記第一の筒部に、他方の開口端側から挿入される第二の筒部を有する第二のハウジングと、
板状の弾性片で形成され、前記第一のハウジングと前記第二のハウジングとを螺合させることで該第一のハウジングの前記弁座と該第二のハウジングの前記筒部の開口端部とに挟持された、弁体と、
を備え、
該弁体は、前記第一のハウジングの前記弁座に設けられた前記開口の外周縁部よりも外側で且つ前記第二のハウジングの前記筒部の内周縁部よりも内側に形成された、略Ｕ字状の切れ目を備え、
該切れ目の内側部分が開閉弁として使用され、該開閉弁の中央部分の厚さが周縁部分より厚くなるように形成され、且つ、該切れ目の外側の前記弁座と前記筒部の開口端部とで挟持された部分で前記第一のハウジングの前記弁座と前記第二のハウジングの前記筒部とが液密状態に閉塞され、且つ、前記切れ目の外側の前記弁座と前記筒部の開口端部とで挟持される弁体の部分の厚さが、前記弁体の中央付近より薄くなるように形成されている、ことを特徴とする三方活栓ユニット。
【請求項２】
前記シリンジのシリンダ部と前記第三の流路とが一体に成形されていることを特徴とする請求項１に記載の三方活栓ユニット。
【請求項３】
前記第一の弁部に設けられた前記第一のハウジングが、前記第一の流路と一体に成形されていることを特徴とする請求項１又は２に記載の三方活栓ユニット。
【請求項４】
前記第二の弁部に設けられた前記第二のハウジングが、前記第二の流路と一体に成形されていることを特徴とする請求項１乃至３のいずれかに記載の三方活栓ユニット。
【請求項５】
前記第一の弁部又は前記第二の弁部の少なくとも一方は、
前記他の物品の接続部に螺合または嵌合させるために設けられた、筒状の接続部材と、
前記他の物品に接続されている状態で該他の物品に係合して、該他の物品の抜脱を阻止するために、該接続部材に設けられた係合爪部と、
を備えることを特徴とする請求項１乃至４のいずれかに記載の三方活栓ユニット。
【請求項６】
前記接続部材は、前記他の物品を挿入可能な雌部材として形成され、
前記係合爪部は、前記接続部材の内側面に、前記他の部品の挿入方向に対して鋭角をなすように突設された、
ことを特徴とする請求項５に記載の三方活栓ユニット。
【請求項７】
前記第一の弁部又は前記第二の弁部の少なくとも一方は、
前記第一の筒部の内側面及び前記第二の筒部の外側面の一方に雄ねじを形成するとともに他方に雌ねじを形成することによって、該第一の筒部を所定方向に回転させつつ該第二の筒部に挿入して螺合させるよう構成されており、且つ、
該第一の筒部が前記所定方向へのみ回転のみを許可し、これにより、該第一の筒部からの該第二の筒部を抜脱できないようにする抜脱防止構造を有する、
ことを特徴とする請求項１乃至４のいずれかに記載の三方活栓ユニット。
【請求項８】
前記抜脱防止構造は、前記第一の筒部の内側面及び前記第二の筒部の外側面の一方に形成された１個又は複数個の係止爪部と、他方に形成された１個又は複数個の係止凸部とを有し、
前記係止爪部は、前記所定方向の逆側に傾いた状態に形成され、
前記係止凸部は、前記第一の筒部が前記所定方向へ回転しようとするときは、該係止爪部を該回転方向と略直角な方向に押圧して変形させることで該第一の筒部の回転を許可し、且つ、前記第一の筒部が前記所定方向と逆の方向へ回転しようとするときは、該係止爪部に係合することで該第一の筒部の回転を阻止するように形成された、
ことを特徴とする請求項７に記載の三方活栓ユニット。
【請求項９】
前記シリンジの前記プランジャ部は、
前記シリンダ部の内部を液密状態で摺動する略円板状の樹脂製のプランジャヘッドと、
該プランジャヘッドと一体成形された樹脂製のプランジャロッドとを備えたことを特徴とする請求項１乃至８のいずれかに記載の三方活栓ユニット。
【請求項１０】
前記シリンジの前記プランジャ部は、
前記シリンダ部の内部を摺動するプランジャヘッドと、
該プランジャヘッドに接続されたプランジャロッドと、
該プランジャロッドの基端部に設けられた、使用者の指を挿通させて前記プランジャロッドの軸方向の移動操作を行うための、指掛け部と、
前記シリンジのシリンダ部に軸方向に沿って平行に設けられ、両者の間に使用者の指が入る間隔を有する、二つのフランジ部と、
を備えることを特徴とする請求項１乃至９のいずれかに記載の三方活栓ユニット。
【請求項１１】
前記指掛け部は、前記プランジャロッドに突設されたリング部材であることを特徴とする請求項１０に記載の三方活栓ユニット。
【請求項１２】
前記指掛け部は、屈曲可能な材料で形成された帯状の本体部と、前記プランジャロッドの前記基端部に形成された溝に陥入して保持させるために前記本体部の両端にそれぞれ設けられたフック部とを備え、
該フック部は、前記１個又は複数個の細幅の嵌入部と、該嵌入部が嵌入されたときに該溝の下側から前記基端部に当接する１個又は複数個の幅広の抜け止め部とを、交互に設けてなる、
ことを特徴とする請求項１０に記載の三方活栓ユニット。
【請求項１３】
第一の筒部と、該第一の筒部の一方の開口端を塞ぐ弁座と、該弁座に設けられた開口とを有する第一のハウジングと、
該第一のハウジングの前記第一の筒部に、他方の開口端側から挿入される第二の筒部を有する第二のハウジングと、
板状の弾性片で形成され、前記第一のハウジングと前記第二のハウジングとを螺合させることで該第一のハウジングの前記弁座と該第二のハウジングの前記筒部の開口端部とに挟持された、弁体と、
を備え、
該弁体は、前記第一のハウジングの前記弁座に設けられた前記開口の外周縁部よりも外側で且つ前記第二のハウジングの前記筒部の内周縁部よりも内側に形成された、略Ｕ字状の切れ目を備え、
該切れ目の内側部分が開閉弁として使用され、該開閉弁の中央付近の厚さが周縁部分より厚くなるように形成され、且つ、該切れ目の外側の前記弁座と前記筒部の開口端部とで挟持された部分で前記第一のハウジングの前記弁座と前記第二のハウジングの前記筒部とが液密状態に閉塞され、且つ、前記切れ目の外側の前記弁座と前記筒部の開口端部とで挟持される弁体の部分の厚さが、前記弁体の中央付近より薄くなるように形成されている、ことを特徴とする逆止弁。
【請求項１４】
請求項１乃至１２のいずれかに記載の三方活栓ユニットと、
前記第一の流路から該三方活栓ユニットに流入される流動性物質が収容され、前記第二の弁部に接続された収容器と、
前記流動性物質を人体内部に供給するために前記第一の弁部に接続されたチューブと、
を備えたことを特徴とする流動性物質移送装置。
【発明の詳細な説明】
【技術分野】
【０００１】
本発明は、三方活栓ユニットと、この三方活栓ユニットに設けられる逆止弁と、この三方活栓ユニットを備えた流動性物質移送装置とに関する。
【背景技術】
【０００２】
従来から、例えば口から食事のとれない患者に栄養を与える方法として、栄養組成物等の流動性物質を患者の胃に直接投与する方法が知られている。【０００３】
この方法では、患者の胃にカテーテルを連結し、このカテーテルに三方活栓ユニットを連結する。三方活栓ユニットには、流動性物質を収容する収容容器と、シリンジとが、さらに連結されている。収容容器に収容されている流動性物質は、一旦シリンジに取り出され、該シリンジからカテーテルに供給される。このようにして、患者への、流動性物質の投与が行われる。【０００４】
流動性物質を供給する装置としては、例えば、特許文献１に開示されたものが知られている。特許文献１の流動性物質移送装置では、例えば袋体等の収容容器、シリンジ及びカテーテルがそれぞれ三方向コネクタに接続されている。この装置では、三方向コネクタの、カテーテルと接続される部分に、逆止弁が設けられている。【０００５】
逆止弁は、一方の向きに圧力が加えられたときに弁座の開口を開放し、また、反対の向きに圧力が加えられたときに該開口を閉塞する。【０００６】
逆止弁の構造としては、例えば、特許文献２に記載された構造が知られている。特許文献２の逆止弁では、弁座の開口を開閉するための弁体と、逆止弁の内部を液密状態（すなわち、流動性物質が漏れ出さない密着状態）に保つための手段（例えばＯリングなど）とが設けられている。
【先行技術文献】
【特許文献】
【０００７】
【特許文献１】特開平１０−１９２３９５号公報
【特許文献２】特開平０５−３２１８２４号公報
【発明の概要】
【発明が解決しようとする課題】
【０００８】
しかし、引用文献１の発明は、弁体を付勢する手段や、該弁体や該付勢手段を支持する手段などが必要であり、このため、流動性物質を流す部分の構造が複雑になってしまう。一方、引用文献２に記載の逆止弁は、弁座の開口を開閉する弁体と、弁の内部を液密状態に保つための手段（例えばＯリング）とが設けられており、このため、構造が複雑である。従って、引用文献１及び２の装置では、逆止弁を小型化し難いと共に、歩留まりの低下や、製造コストの上昇を招くおそれがある。【０００９】
また、半固形剤のような物質を容器からカテーテルに投与する際は、通常シリンジを用いるが、大変手間がかかるという問題があった。さらに、衛生上の観点からは、クローズ系で取り扱うこと（すなわち、流動性物質が外気に接しないように容器を三方活栓ユニットに連結すること）が望ましいが、従来の三方活栓ユニットでは困難であった。【００１０】
本発明は、このような背景技術に鑑みてなされたものであり、小型化し易く、歩留まりが高く、製造コストが安価で、且つ、半固形剤のような物質を手間をかけずに衛生的にクローズ系で投与できる三方活栓ユニット、逆止弁及び流動性物質移送装置を提供することを課題とする。
【課題を解決するための手段】
【００１１】
第１の発明に係る三方活栓ユニットは、流動物が流動する第一の流路、第二の流路及び第三の流路を１個の合流点で接合してなる分岐流路と、外部から前記第一の流路に前記流動性物質を流入させるための吸引力と、前記第二の流路から外部に該流動性物質を流体を流出させるための押出力とを、前記分岐流路に供給するために、前記第三の流路に設けられたシリンジと、前記第一の流路から前記流体物が流出することを防止するために該第一の流路の開口端に設けられた第一の弁部と、前記第二の流路から前記流体物が流入することを防止するために該第二の流路の開口端に設けられた第二の弁部とを備える三方活栓ユニットであって、前記第一の弁部又は前記第二の弁部の少なくとも一方は、第一の筒部と、該第一の筒部の一方の開口端を塞ぐ弁座と、該弁座に設けられた開口とを有する第一のハウジングと、該第一のハウジングの前記第一の筒部に、他方の開口端側から挿入される第二の筒部を有する第二のハウジングと、板状の弾性片で形成され、前記第一のハウジングと前記第二のハウジングとを螺合させることで該第一のハウジングの前記弁座と該第二のハウジングの前記筒部の開口端部とに挟持された、弁体とを備え、該弁体は、前記第一のハウジングの前記弁座に設けられた前記開口の外周縁部よりも外側で且つ前記第二のハウジングの前記筒部の内周縁部よりも内側に形成された、略Ｕ字状の切れ目を備え、該切れ目の内側部分が開閉弁として使用され、該開閉弁の中央付近の厚さが周縁部分で厚くなるように形成され、且つ、該切れ目の外側の前記弁座と前記筒部の開口端部とで挟持された部分で前記第一のハウジングの前記弁座と前記第二のハウジングの前記筒部とが液密状態に閉塞され、且つ、前記切れ目の外側の前記弁座と前記筒部の開口端部とで挟持される前記弁体の部分の厚さが、弁体の中央付近より薄くなるように形成されていることを特徴とする。
【００１２】
第１の発明においては、前記シリンジのシリンダ部と前記第三の流路とが一体に成形されていることが望ましい。【００１３】
第１の発明においては、前記第一の弁部に設けられた前記第一のハウジングが、前記第一の流路と一体に成形されていることが望ましい。【００１４】
第１の発明においては、前記第二の弁部に設けられた前記第二のハウジングが、前記第二の流路と一体に成形されていることが望ましい。【００１５】
第１の発明において、前記第一の弁部又は前記第二の弁部の少なくとも一方は、収容器に設けられた収容器接続部に、螺合または嵌合させながら挿入することにより該収容器を支持する、弁部接続部材と、該弁部接続部材の開口端近傍に設けられ、前記収容器接続部が挿入される方向に対して鋭角をなすように、該弁部接続部材の内側に向かって突設された係合爪部と、を備え、該係合爪部は、前記弁部接続部材に前記収容器接続部を挿入する際には、該弁部接続部の前記内壁側に傾いて、該収容器接続部の挿入を許可し、且つ、該弁部接続部材に該収容器接続部が完全に挿入された際には、該容器接続部に設けた突起部に該弁部接続部材の前記開口端側から係合し、これにより、該容器接続部が該弁部接続部材からの抜脱を防止することが望ましい。
【００１６】
この係合爪部は、略三角形を呈し、複数の該係合爪部が、前記弁部接続部材の内壁の全周にわたって、複数個配設されることが望ましい。
【００１７】
第１の発明において、前記第一の弁部又は前記第二の弁部の少なくとも一方は、前記第一の筒部の内側面及び前記第二の筒部の外側面の一方に雄ねじを形成するとともに他方に雌ねじを形成することによって、該第一の筒部を所定方向に回転させつつ該第二の筒部に挿入して螺合させるよう構成され、且つ、該第一の筒部が前記所定方向へのみ回転のみを許可し、これにより、該第一の筒部からの該第二の筒部を抜脱できないようにする抜脱防止構造を有することが望ましい。【００１８】
第１の発明においては、前記抜脱防止構造は、前記第一の筒部の内側面及び前記第二の筒部の外側面の一方に形成された１個又は複数個の係止爪部と、他方に形成された１個又は複数個の係止凸部とを有し、前記係止爪部は、前記所定方向の逆側に傾いた状態に形成され、前記係止凸部は、前記第一の筒部が前記所定方向へ回転しようとするときは、該係止爪部を該回転方向と略直角な方向に押圧して変形させることで該第一の筒部の回転を許可し、且つ、前記第一の筒部が前記所定方向と逆の方向へ回転しようとするときは、該係止爪部に係合することで該第一の筒部の回転を阻止するように形成されることが望ましい。【００１９】
第１の発明において、前記シリンジの前記プランジャ部は、前記シリンダ部の内部を液密状態で摺動する略円板状の樹脂製のプランジャヘッドと、該プランジャヘッドと一体成形された樹脂製のプランジャロッドとを備えることが望ましい。【００２０】
第１の発明において、前記シリンジの前記プランジャ部は、前記シリンダ部の内部を摺動するプランジャヘッドと、該プランジャヘッドに接続されたプランジャロッドと、【００２１】
第１の発明においては、該プランジャロッドの基端部に設けられた、使用者の指を挿通させて前記プランジャロッドの軸方向の移動操作を行うための、指掛け部と、前記シリンジのシリンダ部に軸方向に沿って平行に設けられ、両者の間に使用者の指が入る間隔を有する、二つのフランジ部とを備えることが望ましい。【００２２】
第１の発明において、前記指掛け部は、前記プランジャロッドに突設されたリング部材であることが望ましい。【００２３】
第１の発明において、前記指掛け部は、屈曲可能な材料で形成された帯状の本体部と、前記プランジャロッドの前記基端部に形成された溝に陥入して保持させるために前記本体部の両端にそれぞれ設けられたフック部とを備え、該フック部は、前記１個又は複数個の細幅の嵌入部と、該嵌入部が嵌入されたときに該溝の下側から前記基端部に当接する１個又は複数個の幅広の抜け止め部とを、交互に設けてなることが望ましい。【００２４】
第２の発明に係る逆止弁は、第一の筒部と、該第一の筒部の一方の開口端を塞ぐ弁座と、該弁座に設けられた開口とを有する第一のハウジングと、該第一のハウジングの前記第一の筒部に、他方の開口端側から挿入される第二の筒部を有する第二のハウジングと、板状の弾性片で形成され、前記第一のハウジングと前記第二のハウジングとを螺合させることで該第一のハウジングの前記弁座と該第二のハウジングの前記筒部の開口端部とに挟持された、弁体とを備え、該弁体は、前記第一のハウジングの前記弁座に設けられた前記開口の外周縁部よりも外側で且つ前記第二のハウジングの前記筒部の内周縁部よりも内側に形成された、略Ｕ字状の切れ目を備え、該切れ目の内側部分が開閉弁として使用され、該開閉弁の中央付近の厚さが周縁部分より厚くなるように形成され、且つ、該切れ目の外側の前記弁座と前記筒部の開口端部とで挟持された部分で前記第一のハウジングの前記弁座と前記第二のハウジングの前記筒部とが液密状態に閉塞され、且つ、前記切れ目の外側の前記弁座と前記筒部の開口端部とで挟持される前記弁体の部分の厚さが、弁体の中央付近より薄くなるように形成されていることを特徴とする。
【００２５】
第３の発明に係る流動性物質移送装置は、上記第１の発明に係る三方活栓ユニットと、前記第一の流路から該三方活栓ユニットに流入される流動性物質が収容され、前記第二の弁部に接続された収容器と、前記流動性物質を人体内部に供給するために前記第一の弁部に接続されたチューブとを備えたことを特徴とする。
【発明の効果】
【００２６】
本発明では、弁体が弾性体で形成されるとともに、弁座の中央部に開閉弁が設けられている。したがって、弁体の弾性変形によって、流路を開閉することができる。このため、第１の発明では、弁体を開閉させるための付勢手段を設ける必要が無く、さらには、弁体や付勢手段を支持するための構造などを設ける必要もない。この結果、第１の発明によれば、構造の簡素化及び小型化を図ることができる。また、第１の発明では、第一のハウジングの第一の筒部が第二のハウジングの第二の筒部に挿入されたときに、弁体が、第一のハウジングの弁座と第二のハウジングの開口との間に挟持される。この結果、弁体の開閉弁は、流体の圧力が第一のハウジング側から第二のハウジング側に加わったときに開き、流体の圧力が第二のハウジング側から第一のハウジング側に加わったときに閉じる。また、第一のハウジングの弁座と第二のハウジングの開口との間に弁体が挟持されるので、該弁座と該開口とは、液密状態に閉塞される。このように、第１の発明によれば、弁座と第二の筒部の開口との間に設けられた弁体が、逆止弁としての機能と、第一及び第二のハウジングの接合部分を液密状態に保つ機能との両方を、同時に発揮する。更に、開閉弁の中央付近の厚さが周縁部分より厚くなるように形成された弾性片を使用するので、この弁体が開閉時に折れ曲がって正常に機能しなくなることを防止できると共に、この弁体の製造工程で、多数個の弁体を同時に洗浄するときに、弁体同士が互いに張り付いてしまうことを防止できる。従って、第１の発明によれば、逆止弁を容易に小型化でき、逆止弁の歩留まりを向上させることができ、さらには、製造コストを低く抑えることができる。
【００２７】
第１の発明において、シリンジのシリンダ部と第三の流路とを一体に形成することにより、製造コストを低減し、組立作業を簡素化し、且つ、シリンダ部と第三の流路との間の液漏れを確実に防止することができる。【００２８】
第１の発明において、第一のハウジングと第一の流路とを一体に成形することにより、製造コストを低減し、組立作業を簡素化し、且つ、第一のハウジングと第一の流路との間の液漏れを確実に防止することができる。【００２９】
第１の発明において、第二のハウジングと第二の流路とを一体に成形することにより、製造コストを低減し、組立作業を簡素化し、且つ、第二のハウジングと第二の流路との間の液漏れを確実に防止することができる。【００３０】
第１の発明において、収容器と螺合又は嵌合させる筒状接続部材に、該収容器の抜脱を防止するための抜脱防止構造を設けることにより、該収容器が不慮に外れる事態を確実に防止できる。また、例えば収容器内の流動性物質が全て使用された後で、三方活栓ユニットから該収容器を取り外して新しい収容器を接続することを、不可能にすることができる。例えば、患者の体内に流動性物質を投与する場合等には、衛生上の理由から、収容器が空になるたびに三方活栓ユニットも交換することが望ましい場合がある。このような場合に、第１の発明によれば、利用者が、三方活栓ユニットを誤って複数回使用することを防止できる。
【００３１】
また、係止爪部と係止凸部とを用いて抜脱防止機構を構成することにより、安価で信頼性が高い抜脱防止機構が得られる。【００３２】
第１の発明において、シリンダ部の内部を液密状態で摺動するようにプランジャヘッドを形成し、且つ、該プランジャヘッドとプランジャロッドとを一体に形成することにより、部品点数を削減することができ、これにより、製造コストを低減することができる。【００３３】
第１の発明において、プランジャロッドの基端部に指掛け部を設け、且つ、シリンダ部に２個のフランジを設けることにより、操作者は、該指掛け部に親指を挿通させると共に２個のフランジ部の間に片手の人差し指及び中指を入れて三方活栓ユニットを把持しつつ、片手だけでシリンジのプランジャ部の押し引きを行うことができる。これにより、操作性の良好な三方活栓ユニットを提供することができる。【００３４】
第２の発明によれば、上記第１の発明と同様の理由により、小型で、歩留まりが良く、且つ、製造コストが安価な逆止弁を提供することができる。【００３５】
第３の発明によれば、上記第１の発明と同様の理由により、小型で、歩留まりが良く、且つ、製造コストが安価な流動性物質移送装置を提供することができる。
【図面の簡単な説明】
【００３６】
【図１】実施の形態１における流動性物質移送装置の全体構成を示す概念図である。
【図２】実施の形態１に係る三方活栓ユニットの分解断面図である。
【図３】実施の形態１に係る三方活栓ユニットの接続部材の正面図である。
【図４】実施の形態１に係る三方活栓ユニットの弁体の図であり、（ａ）正面図、（ｂ）は側面図である。
【図５】実施の形態１に係る三方活栓ユニットに袋体と移送用チューブとを接続する前の状態を示す断面図である。
【図６】実施の形態１に係る三方活栓ユニットに袋体と移送用チューブとを接続した状態を示す断面図である。
【図７】発明の実施の形態２に係る流動性物質移送装置を示す断面図である。
【図８】発明の実施の形態３に係る流動性物質移送装置の、三方活栓ユニットに袋体と移送用チューブとを接続する前の状態を示す断面図である。
【図９】実施の形態３に係る流動性物質移送装置の、三方活栓ユニットに袋体と移送用チューブとを接続した状態を示す断面図である。
【図１０】実施の形態４に係る流動性物質移送装置の、三方活栓ユニットに袋体と移送用チューブとを接続する前の状態を示す断面図である。
【図１１】実施の形態４に係る流動性物質移送装置の、三方活栓ユニットに袋体と移送用チューブとを接続した状態を示す断面図である。
【図１２】実施の形態５に係る流動性物質移送装置の全体構成を示す概念図である。
【図１３】実施の形態５に係る三方活栓ユニットの分解断面図である。
【図１４】実施の形態５に係る抜脱防止機構の構成を示す図であり、（ａ）は係合爪部の断面図、（ｂ）は係合凸部の断面図である。
【図１５】実施の形態５に係る抜脱防止機構の動作を示す図であり、（ａ）は装着時の概念図、（ｂ）は抜脱時の概念図である。
【図１６】実施の形態５に係る指掛け部の構造を概念的に示す斜視図である。
【発明を実施するための形態】
【００３７】
［発明の実施の形態１］
【００３８】
図１乃至図６に、この発明の実施の形態１を示す。
【００３９】
この発明の実施の形態１に係る流動性物質移送装置１００Ａは、袋体２Ａに収容されている流動性物質を、患者に留置されたカテーテルに移送するために使用される。すなわち、流動性物質移送装置１００Ａを用いて、患者の部位（図示せず）に、液体、ゲル、ゾル、これらと固形分との混合物等の栄養組成物が投与される。
【００４０】
流動性物質移送装置１００Ａは、三方活栓ユニット１Ａと、流動性物質が収容された袋体２Ａと、流動性物質を人体内部に移送する移送用チューブ３とを備えている。
【００４１】
三方活栓ユニット１Ａは、剛性と液密性とを備えた材料、例えばポリプロピレン等の樹脂によって形成されている。この三方活栓ユニット１Ａは、分岐流路４と、第一の弁部５Ａと、第二の弁部６Ａと、シリンジ７Ａとを備えており、いわゆる三方弁としての機能を奏する。
【００４２】
分岐流路４は、第一の流路８、第二の流路９、第三の流路１０が一個の合流点１１で接合されている。これらの流路８，９，１０は、それぞれ、流体が内部を流動できるように構成されている。この実施の形態１では、各流路８，９，１０は例えば０．６〜１．０センチメートル程度の長さに形成されるが、この長さより長くてもよいし、短くてもよい。
【００４３】
第一の弁部５Ａは、分岐流路４の第一の流路８の端部に配置されている。図２に示す通り、第一の弁部５Ａは、「逆止弁」としての第一の逆止弁部１２Ａと、連結部１３とを備えている。
【００４４】
第一の逆止弁部１２Ａは、第一のハウジング１４と、第二のハウジング２０と、弁体２６とを備えている。
【００４５】
第一のハウジング１４は、第一の流路８の端部に設けられており、この第一の流路８と一体に成形されている。第一のハウジング１４は、略円板状の弁座１５と第一の筒部１７とを備える。弁座１５の略中央部分には、第一の流路８に繋がる「開口」としての、流入口１６が形成されている。弁座１５には、後述の弁体が配設される。弁座１５の周縁部は、第一の筒部１７の一端に接合される。第一の筒部１７は、略円筒形であり、第一の流路８の延長方向に向けて配置されている。第一の筒部１７の内周には、雌ねじ１８Ａが刻設されている。第一の筒部１７の他端側には、略円形の開口１９が形成されている。
【００４６】
第二のハウジング２０は、第一のハウジング１４と同一の材料を用いて形成される。この第二のハウジング２０は、第一のハウジング１４に対して着脱できるように、作製される。第二のハウジング２０の一端側には、略円板状の中間壁部２１が設けられる。さらに、この中間壁部２１の略中央部分には、後述する連結部に連通する流出口２２が形成されている。中間壁部２１は、第二の筒部２３の一端側に設けられている。第二の筒部２３は、略円筒形である。第二の筒部２３の外径は、第一の筒部１７の内径と略同一である。第二の筒部２３の外周面には、雌ねじ１８Ａに螺合させるための雄ねじ２４Ａが設けられている。第二の筒部２３の他端側には、略円形の開口２５が形成されている。
【００４７】
図４（ａ）及び（ｂ）に示す弁体２６は、例えばシリコンのような、液密性を有する弾性体で形成されている。弁体２６の全体形状は、略円板状である。
【００４８】
弁体２６には、略Ｕ字形の切れ目２７が設けられている。図４に示す通り、切れ目２７は、隙間Ｗを有するスリット状に形成される。弁体２６は、弁座１５と第二のハウジング２０の開口２５との間に挟持される。図４に示す通り、切れ目２７は、開口２５の内周縁部２８が当接する位置よりも内側に配置され、且つ、弁座１５の流入口１６の位置よりも外側に配置される。切れ目２７の内側は、開閉弁２９として機能する。すなわち、弁体２６が弁座１５に配設されたとき、開閉弁２９は、切れ目２７の両端部を結んだ仮想線３０（図４参照）を軸に回動方向に動いて、流入口１６を開閉する。図４（ｂ）に示したように、本実施形態では、開閉弁２９の厚さを、中央付近で厚く、周縁部分で薄くなるように形成した。これにより、開閉時に開閉弁２９が折れ曲がって正常に機能しなくなることを、防止できる。加えて、弁体２６の製造後に多数個の弁体２６を同時に洗浄するとき、弁体２６同士が互いに張り付いてしまうことを、防止することもできる。
弁体２６の直径は、第一のハウジング１４の内径とほぼ同じ大きさ、例えば１．５センチメートル程度である。また、弁体２６の厚さは、例えば、周縁部分で１．０ミリメートル程度、開閉弁２９の最も厚い部分で２．０ミリメートル程度である。ただし、弁体２６の直径及び厚さは、これらの寸法より大きくてもよいし、小さくてもよい。  
【００４９】
連結部１３は、第二のハウジング２０の中間壁部２１と反対側に、突設されている。第二のハウジング２０と連結部１３とは、一体に成形されている。連結部１３は、略円筒形であり、外径が先端に向けて縮径している。連結部１３の外周面には、略楔形の断面を有する滑り止め３２が、複数個（例えば４個）、突設されている。滑り止め３２は、連結部１３の外周に沿って、環状に配置される。この滑り止め３２の断面形状は、連結部１３に連結された移送用チューブ３の脱落を防止するのに適した形状であれば、楔型以外であってもよい。また、滑り止め３２の配置形状は、環状である必要は無く、径方向の一部にのみ設けられていてもよい。
【００５０】
第二の弁部６Ａは、分岐流路４の第二の流路９の端部に、設けられている。第二の弁部６Ａは、「逆止弁」としての第二の逆止弁部３３Ａと、「接続部材」としての接続部３４とを備えている。
【００５１】
第二の逆止弁部３３Ａは、第一のハウジング３５と、第二のハウジング３６と、弁体２６とを備えている。
【００５２】
第一のハウジング３５と接続部３４とは、分岐流路４と同一の材料を用いて、一体に成形されている。第一のハウジング３５の一端には、略円板状の弁座３７が設けられている。さらに、弁座３７の略中央部には、接続部３４に繋がる「開口」としての流入口３８が形成されている。第一のハウジング３５は、第一の筒部３９、雌ねじ４０Ａ及び開口４１を備えている。これら各部の構造や寸法、材料等は、上述の第一の筒部１７、雌ねじ１８Ａ及び開口１９と同様である。
【００５３】
第二のハウジング３６は、第二の流路９の端部に設けられており、この第二の流路９と一体に成形されている。第二のハウジング３６は、中間壁部４２、流出口４３、第二の筒部４４、雄ねじ４５Ａ及び開口４６を備える。中間壁部４２は、略円板状である。中間壁部４２の略中央部には、流出口４３が設けられている。流通口４３は、第二の流路９に連通している。第二の筒部４４、雄ねじ４５Ａ及び開口４６の構造や寸法、材料等は、上述の第二の筒部２３、雄ねじ２４Ａ及び開口２５と同様である。
【００５４】
弁体２６の構造や寸法、材料等は、第一の逆止弁部１２Ａに配設される弁体２６と同じである。弁体２６が弁座３７に配設されたとき、開閉弁２９は仮想線３０を軸に回動方向に動いて、流入口３８を開閉する。
【００５５】
接続部３４は、弁座３７の、第一のハウジング３５の反対側に配設される。この接続部３４は、袋体２Ａの排出部（後述）を挿入することが可能な、雌部材である。接続部３４は、筒部４８、雌ねじ４９、開口５０、係合爪部５１及び突起部５２を備える。
【００５６】
筒部４８は、第一のハウジング３５に設けられた第一の筒部３９の延長線上に配置され、第一の筒部３９と同様の円筒形に形成されている。筒部４８の内周には、雌ねじ４９が設けられている。筒部４８の先端には、略円形の開口５０が形成されている。
【００５７】
開口５０には、係合爪部５１が設けられている。図３に示す通り、係合爪部５１は略三角形の複数の突起から成り、これらの突起は図２に示す通り流入口３８の方向（すなわち、袋体２Ａの挿入方向）に対して鋭角をなすように、内側に突設している。後述する通り、この係合爪部５１は、袋体２Ａの排出部（後述）が接続部３４に挿入されたときに排出部（後述）に係合して、接続部３４からの袋体２Ａの抜脱を阻止する機能を有する。
【００５８】
突起部５２は、図２及び図３に示す通り、略三角形の板状に形成されている。突起部５２は、弁座３７の裏側に、板面が弁座３７と略垂直に向き、且つ、先端部５３が開口５０側を向くように、突設されている。
【００５９】
シリンジ７Ａは、シリンダ部５４と、このシリンダ部５４の内部に挿入されるプランジャ部５５を有する。
【００６０】
シリンダ部５４は、第三の流路１０の端部に、この第三の流路１０と一体に成形されている。シリンダ部５４は、シリンダ本体部５６、流出入口５７、開口端部５８、第一フランジ部５９及び第二フランジ部６０を有する。
【００６１】
シリンダ本体部５６は、略円筒形に形成されている。この実施の形態１において、シリンダ本体部５６は、長さを９〜１０センチメートル程度、直径を２センチメートル程度に形成される。ただし、長さや直径は、これらよりも大きくてもよいし、小さくてもよい。
【００６２】
流出入口５７は、シリンダ部５４の一端側に形成されて、第三の流路１０と連通している。開口端部５８は、シリンダ本体部５６の他端側に形成されている。開口端部５８の径は、シリンダ本体部５６の内径と略同一である。第一フランジ部５９は、開口端部５８から、径方向外方に突設されている。第二フランジ部６０は、第一フランジ部５９よりも中央寄りに、第一フランジ部５９と平行に設けられている。図２に示す、第一フランジ部５９と第二フランジ部６０との間隔Ｌ１は、使用者の指（例えば人差し指と中指）を間に挿入してシリンジ７Ａを操作できる長さ、例えば２〜３センチメートル程度に設定される。
【００６３】
プランジャ部５５は、シリンダ部５４と同じ材料を用いて、一体に成形されている。プランジャ部５５は、プランジャヘッド６１と、プランジャロッド６２と、「指掛け部」としてのリング部材６３とを有する。リング部材６３は、プランジャロッド６２の基端部６４上に、設けられる。
【００６４】
プランジャヘッド６１は、シリンダ本体部５６の内周と略同一径の、円板状に形成される。プランジャヘッド６１には、ガスケットが設けられていない。しかし、プランジャヘッド６１は、シリンダ本体部５６の内周部を摺動する際に、シリンダ本体部５６の内壁面に密着する。これにより、プランジャヘッド６１とシリンダ本体部５６との当接部分で、高い液密性が得られる。
【００６５】
プランジャロッド６２は、断面略十字形の、細長い棒状に形成される。プランジャロッド６２の全長は、シリンダ本体部５６の全長よりも長く設定される。このため、プランジャヘッド６１がシリンダ本体部５６の最も奥まで挿入されたとき、基端６４側のリング部材６３は、シリンダ本体部５６から外部に露出した状態となる。図２に示す、リング部材６３の内径Ｌ２は、使用者の指（例えば親指）を挿入してシリンジ７Ａを操作できる長さ、例えば直径２〜３センチメートル程度に設定される。
【００６６】
「収容器」としての袋体２Ａとしては、流動性物質が収容された容器であれば、何でも使用できる。図５に示す通り、この実施の形態１では、袋体２Ａとして、樹脂製の可撓性容器を使用した。袋体２Ａの一方の端部には、「他の物品」としての、円筒形状の排出部６５が設けられている。排出部６５は、第二の弁部６Ａの接続部３４と液密に連結できるように構成されている。排出部６５の外周面には、雌ねじ４９と螺合させるための、雄ねじ６６が形成されている。また、排出部６５の端部の開口６７は、シール部材６８で封止されている。シール部材６８としては、袋体２Ａに収容された流動性物質の酸化や腐食等を防止できる膜状の物質、例えばアルミニウム箔等が使用される。
【００６７】
次に、この実施の形態１に係る流動性物質移送装置１００Ａの組立手順について説明する。
【００６８】
図２に示す流動性物質移送装置１００Ａを組み立てる場合、まず、使用者は、第一のハウジング１４の弁座１５に弁体２６を載置し、更に、雌ねじ１８Ａと第二のハウジング２０の雄ねじ２４Ａとを螺合させることにより、第一の弁部５Ａを組み立てる。次いで、第一のハウジング３５の弁座３７に弁体２６を載置し、さらに、雌ねじ４０Ａと第二のハウジング３６の雄ねじ４５Ａとを螺合させることにより、第二の弁部６Ａを組み立てる。このとき、図５に示すように、第一の弁部５Ａの弁体２６は、弁座１５と開口２５とに、挟持される。同様に、第二の弁部６Ａの弁体２６は、弁座３７と開口４６とに、挟持される。雌ねじ１８Ａ，４０Ａと雄ねじ２４Ａ，４５Ａとの螺合状態を調節することで、弁体の挟持状態を自在に調節でき、これにより、流動性物質の液漏れを確実に防止できる。
【００６９】
更に、シリンダ部５４にプランジャ部５５を挿入し、シリンジ７Ａを完成させる。
【００７０】
次に、この実施の形態に係る流動性物質移送装置１００Ａの操作手順について説明する。
【００７１】
使用者は、図５に示す通り、流動性物質が収容された袋体２Ａの排出部６５を、第二の弁部６Ａの接続部３４に当接させて、回転させる。これにより、雌ねじ４９と雄ねじ６６とを螺合して、突起部５２の先端部５３がシール部材６８に近づいていき、シール部材６８を突き破る。この結果、開口６７が露出する。雌ねじ４９と雄ねじ６６とを更に螺合させ、排出部６５と第二の弁部６Ａとの接続が完了すると、図６に示すように、接続部３４に設けられた係合爪部５１の先端が、雄ねじ６６の端部に係合した状態となる。この結果で、螺合が解除される方向に雄ねじ６６を回転させることは、できなくなる。つまり、袋体２Ａを三方活栓ユニット１Ａに一旦接続すると、その後は、両者を離脱させることはできなくなる。これにより、三方活栓ユニット１Ａに係合された他の物品が不慮に脱落する事態等を確実に防止できる。
【００７２】
次に、使用者は、第一の弁部５Ａの連結部１３を、移送用チューブ３の一端に挿入する。これにより、図６に示すように、移送用チューブ３が連結部１３に連結される。この状態では、連結部１３の滑り止め３２が移送用チューブ３の内壁に強い摩擦力を与え、従って、移送用チューブ３は連結部１３から容易には離脱しない。
【００７３】
この状態で、移送用チューブ３の他端部が、患者に留置されたカテーテル（図示せず）に連結される。
【００７４】
その後、使用者は、シリンジ７Ａを操作することにより、流動性物質を患者の体内に投与する。具体的には、まず、使用者は、プランジャヘッド６１が流出入口５７から離れる方向に、プランジャロッド６２を引く。これにより、分岐流路４内の気圧が大気圧より低くなる。そのため、第一の逆止弁部１２Ａの開閉弁２９が閉じて、流入口１６を塞ぐ。また、第二の逆止弁部３３Ａの開閉弁２９は開いて、流入口３８を開口させる。この結果、流動性物質が、袋体２Ａ内部から吸い出され、第一の流路８及び第三の流路１０を経て、シリンジ７Ａのシリンダ部５４内に移送される。
【００７５】
次に、使用者は、プランジャヘッド６１が流出入口５７に近づく方向に、プランジャロッド６２を押す。これにより、分岐流路４内の圧力は、大気圧より高くなる。このため、第二の逆止弁部３３Ａの開閉弁２９が閉じて、流入口３８を塞ぐ。また、第一の逆止弁部１２Ａの開閉弁２９は開いて、流入口１６を開口させる。この結果、流動性物質は、シリンダ部５４から押し出され、第三の流路１０、第二の流路９、第二の弁部６Ａ及び移送用チューブ３を経て、患者の体内に供給される。
【００７６】
プランジャヘッド６１が吸引方向及び押出方向へ移動するとき、このプランジャヘッド６１は、シリンダ部５４内部を、液密状態で摺動する。このため、プランジャヘッド６１とシリンダ部５４との間に、液漏れは起こらない。
【００７７】
プランジャヘッド６１を移動させるとき、使用者は、シリンジ７Ａの第一フランジ部５９と第二フランジ部６０との間に、片手の二本の指（例えば右手の人差し指及び中指）を挿入して、これらの指でシリンダ部５４を把持する。更に、使用者は、同じ手の他の一本の指（例えば右手の親指）を、プランジャ部５５のリング部材６３に挿入する。この状態で、プランジャ部５５の引き又は押しの操作を行うことにより、使用者は、片手だけで、シリンジ７Ａの把持と操作とを行うことができる。すなわち、実施の形態１によれば、操作性の良好な三方活栓ユニット１Ａ及び流動性物質移送装置１００Ａを提供することができる。
【００７８】
図４に示したように、弁体２６の切れ目２７には、隙間Ｗが形成されている。このため、開閉弁２９が閉じる際に、開閉弁２９と弁体２６の周辺部分とが重なってしまって、流入口１６，３８が液密に塞がらなくなるという不都合を回避することができる。
【００７９】
流動性物質移送装置１００Ａの使用後には、移送用チューブ３が、連結部１３から引き抜かれる。そして、三方活栓ユニット１Ａ及び袋体２Ａは、相互に接続された状態で、廃棄処分される。上述のように、袋体２Ａの雄ねじ６６には接続部３４の係合爪部５１が係合しており、従って、袋体２Ａを三方活栓ユニット１Ａから離脱させることはできない。
【００８０】
流動性物質移送装置１００Ａを患者の食事摂取に使用する場合、衛生上の観点から、この流動性物質移送装置１００Ａの使い回しを禁止し、袋体２Ａが空になるたびに流動性物質移送装置１００Ａを廃棄することが望ましい。そのためには、連結部１３や排出部６５を、一旦分岐流路４に装填した後は、抜脱できないようにすることが望まれる。この実施の形態１では、係合爪部５１等を用いることにより、連結部１３や排出部６５の抜脱を、簡単且つ安価な構造で、確実に防止することができる。したがって、実施の形態１によれば、三方活栓ユニット１Ａが廃棄されずに再利用される事態を確実に防止でき、患者の衛生状態を良好に保つことができる。
【００８１】
以上説明したように、この実施の形態１では、シリンジ７Ａのプランジャ部５５が引かれたときは、第一の弁部５Ａが閉じるとともに、第二の弁部６Ａが開く。一方、プランジャ部５５が押されたときは、第一の弁部５Ａが開くとともに、第二の弁部６Ａが閉じる。従って、第一の弁部５Ａを移送用チューブ３に接続するとともに第二の弁部６Ａを袋体２Ａに接続することによって、患者の体内に流動性物質を投与することができる。
【００８２】
この実施の形態１では、弾性の弁体２６に略Ｕ字状の切れ目を設けることによって開閉弁２９を作製し、この開閉弁２９によって、弁座１５，３７の中央部に設けられた流入口１６，３８を開閉する。このため、開閉弁２９の弾性変形のみによって、流入口１６，３８を開閉することができる。従って、この実施の形態１によれば、弁体２６を開閉させるための付勢手段を設ける必要が無く、さらには、弁体２６及び付勢手段を支持する構造等を設ける必要も無い。このような理由から、この実施の形態１によれば、三方活栓ユニット１Ａの構造を簡素化し且つ小型化することができる。
【００８３】
また、この実施の形態１によれば、第１のハウジング１４，３５の弁座１５，３７と第二のハウジング２０，３６の開口２５，４１との間に、弁体２６が挟持される。この結果、弁体２６の開閉弁２９は、流体の圧力が第一のハウジング１４，３５側から第二のハウジング２０，３６側に加わったときに開き、流体の圧力が第二のハウジング２０，３６側から第一のハウジング１４，３５側に加わったときに閉じる。また、第一のハウジング１４，３５の弁座１５，３７と第二のハウジング２０，３６の開口２５，４１との間に弁体２６が挟持されるので、該弁座１５，３７と該開口２５，４１とは、液密状態に閉塞される。このように、この実施の形態１によれば、弁座１５，３７と開口２５，４１との間に設けられた弁体２６が、逆止弁としての機能と、第一及び第二のハウジングの接合部分を液密状態に保つ機能との両方を、同時に発揮する。従って、実施の形態１によれば、逆止弁を容易に小型化でき、逆止弁の歩留まりを向上させることができ、さらには、製造コストを低く抑えることができる。
【００８４】
この実施の形態１では、分岐流路４と、シリンジ７Ａのシリンダ部５４と、第一の弁部５Ａの第一のハウジング１４と、第二の弁部６Ａの第二のハウジング３６とが、それぞれ一体成形されている。これにより、実施の形態１によれば、製造コストを下げることができ、また、組立作業を簡素化することができる。加えて、実施の形態１によれば、シリンダ部と分岐流路４との間、第一の弁部５Ａと分岐流路４との間及び第二の弁部６Ａと分岐流路４との間の液漏れを確実に防止することができる。
【００８５】
この実施の形態１では、シリンジ７Ａのプランジャ部５５にプランジャヘッド６１とプランジャロッド６２とを設けると共に、該プランジャヘッド６１を、シリンダ部５４内部を液密状態で摺動する略円板状の樹脂で形成した。これにより、プランジャヘッド６１にガスケットを設けずに、液密性を確保することができる。その結果、プランジャ部５５を、１個の部品として、一体に成形することができる。このため、プランジャ部５５からの液漏れが無い三方活栓ユニット１Ａを、安価に製造することができる。
【００８６】
この実施の形態１では、接続部３４を、袋体２Ａの排出部６５を挿入可能な雌部材として、形成した。加えて、この実施の形態１では、係合爪部５１を、接続部３４の開口５０の内側から突出するように、形成した。これにより、この実施形態１によれば、排出部６５の接続解除を、係合爪部５１によって確実に防止することができる。
【００８７】
この実施の形態１では、指掛け部としての、プランジャロッド６２から突設されたリング部材６３を設けた。このため、三方活栓ユニット１Ａ及び流動性物質移送装置１００Ａの操作性を向上させることができる。
【００８８】
この実施の形態１に係る流動性物質移送装置１００Ａは、この実施の形態に係る三方活栓ユニット１Ａに袋体２Ａと移送用チューブ３とを接続して使用するので、小型化し易く、歩留まりが高く、且つ、製造コストが安価である。
【００８９】
［発明の実施の形態２］
【００９０】
図７には、この発明の実施の形態２を示す。
【００９１】
この実施の形態２に係る流動性物質移送装置１００Ｂでは、三方活栓ユニット１Ｂに設けられたシリンジ７Ｂの構成が、実施の形態１のシリンジ７Ａの構成と異なる。実施の形態２のシリンジ７Ｂでは、プランジャ部７１のプランジャヘッド７２に、ガスケット７３が設けられている。加えて、シリンダ本体部７５の一端部７６が、プランジャヘッド７２の端部形状と略一致するような形状に、形成されている。その他の構成は、実施の形態１と同様である。
【００９２】
この実施の形態２によれば、プランジャヘッド７２にガスケット７３を設けたので、シリンダ部７４内部とプランジャ部７１との液密性を容易に確保することができ、従って、プランジャヘッド７２を高精度に作る必要が無い。
【００９３】
［発明の実施の形態３］
【００９４】
図８及び図９には、この発明の実施の形態３を示す。
【００９５】
図８に示す通り、この実施の形態３に係る流動性物質移送装置１００Ｃは、上記実施の形態１、２の第二の弁部６Ａ及び袋体２Ａに代えて、第二の弁部６Ｂと袋体２Ｂとを備えている。第二の弁部６Ａには接続部８２が、袋体２Ｂには排出部８６が、それぞれ設けられている。
【００９６】
接続部８２は、袋体２Ｂに挿入するための雄部材である。接続部８２は、筒部８３を備えている。筒部８３の外周面には、雄ねじ８４が形成されている。また、筒部８３の先端には、開口８５が設けられている。
【００９７】
袋体２Ｂの排出部８６は、内周面に設けられた、雌ねじ８７を備えている。雌ねじ８７は、雄ねじ８４と螺合できるように、形成されている。排出部８６の外側には、樹脂製のキャップ部材８８が配設されている。
【００９８】
また、この実施の形態３に係る流動性物質移送装置１００Ｃは、上記実施の形態１、２に係る第一の逆止弁部１２Ａ及び第二の逆止弁部３３Ａに代えて、第一の逆止弁部１２Ｂ及び第二の逆止弁部３３Ｂを備えている。第一の逆止弁部１２Ｂ、第二の逆止弁部３３Ｂは、上記実施の形態１、２に係る雌ねじ１８Ａ，４０Ａ及び雄ねじ２４Ａ，４５Ａに代えて、凹溝状の被嵌合部１８Ｂ，４５Ｂ及び突起状の嵌合部２４Ｂ，４０Ｂをそれぞれ備えている。その他の構成は、実施の形態２とほぼ同様である。
【００９９】
図９に示す通り、第一の逆止弁部１２Ｂ、第二の逆止弁部３３Ｂを組み立てる際は、被嵌合部１８Ｂと嵌合部２４Ｂとを嵌合させるとともに、被嵌合部４０Ｂと嵌合部４５Ｂとを嵌合させる。そして、接続部８２と排出部６５とを接続させる際は、袋体２Ｂのキャップ部材８８を折り取って、雄ねじ８４と雌ねじ８７とを螺合させる。これにより、袋体２Ｂのシール部材６８が破断して、排出部８６と第二の弁部６Ｂとを接続させることができる。その他の操作は、実施の形態１とほぼ同様である。
【０１００】
なお、この実施の形態３では、シリンジの構成を上記実施の形態２と同様としたが、上記実施の形態１と同様のシリンジ７Ａを採用してもよい。
【０１０１】
この実施の形態３に係る第二の弁部６Ｂと袋体２Ｂを、上記実施の形態１、２に示したような雌ねじ１８Ａ，４０Ａ及び雄ねじ２４Ａ，４５Ａを有する三方活栓ユニット及び流動性移送装置に適用することも可能である。
【０１０２】
また、この実施の形態３に係る被嵌合部１８Ｂ，４５Ｂ及び嵌合部２４Ｂ，４０Ｂを、上記実施の形態１、２に示したような第二の弁部６Ａと袋体２Ａを有する三方活栓ユニット及び流動性移送装置に適用することも可能である。
【０１０３】
［発明の実施の形態４］
【０１０４】
図１０及び図１１には、この発明の実施の形態４を示す。
【０１０５】
図１０に示す通り、この実施の形態４の流動性物質移送装置１００Ｄは、実施の形態１乃至３の第二の弁部６Ａ、６Ｂ及び袋体２Ａ、２Ｂに代えて、第二の弁部６Ｃ及び袋体２Ｃを有する。第二の弁部６Ａには接続部９２が、袋体２Ｃには排出部９１が、それぞれ設けられている。
【０１０６】
接続部９２は、軸方向に回動可能な雌部材である。接続部９２の筒状本体部の内周面には、雌ねじ（図示せず）が刻設されている。
【０１０７】
排出部９１は、円筒形の排出本体部９５を有している。排出本体部９５の外周面には、雄ねじ９４が形成されている。この雄ねじ９４は、図示しない雌ねじに螺合される。更に、排出本体部９５の外側は、樹脂製のキャップ部材９６に覆われている。キャップ部材９６は、先端部９７を備えている。先端部９７は、排出本体部９５の内側に挿通される。袋体２Ｃの内部には、排出本体部９５に近接して、樹脂製の先端保護部９８が設けられている。
【０１０８】
その他の構成は、実施の形態３と同じである。
【０１０９】
図１１に示す通り、接続部９２と排出部９１とを接続させる際は、まず、袋体２Ｃの外側から先端保護部９８を折り、そして、先端保護部９８を排出本体部９５から分離させる。これにより、キャップ部材９６を、排出本体部９５から離脱させることが可能となる。キャップ部材９６を抜き出した後で、雄ねじ９４と雌ねじ（図示せず）とを螺合させる。これにより、排出部９１と第二の弁部６Ｃとの接続が完了する。
【０１１０】
なお、流動性物質を口から飲める患者に対しては、流動性物質を、袋体２Ｃから直接、経口投与することもできる。この場合には、先端部９７が外側に位置するように、キャップ部材９６を排出本体部９５に螺合接続させればよい。
【０１１１】
その他の操作は、実施の形態１乃至３とほぼ同様である。
【０１１２】
この実施の形態４では、シリンジの構成を上記実施の形態２と同様としたが、上記実施の形態１と同様のシリンジ７Ａを採用してもよい。
【０１１３】
また、被嵌合部１８Ｂ，４５Ｂ及び嵌合部２４Ｂ，４０Ｂに代えて、実施の形態１、２に示した第二の弁部６Ａ及び袋体２Ａを採用してもよい。
【０１１４】
［発明の実施の形態５］
【０１１５】
図１２乃至図１６は、この発明の実施の形態５に係る流動性物質移送装置１００Ｅを示している。図１２乃至図１６において、図１及び図２と同じ符号を付した構成要素は、それぞれ図１及び図２と同じものを示している。
【０１１６】
図１２に示すように、この実施の形態５に係る三方活栓ユニット１Ｅでは、シリンジ７Ａと対向する位置に第一の弁部５Ｂが配置され、且つ、シリンジ７Ａ及び第一の弁部５Ｂを結ぶ線と直交する方向に第二の弁部６Ｄが配置されている。
【０１１７】
このため、上述の実施の形態１と比較して、流動性物質をシリンジ７Ａに吸い出すとき（すなわち、使用者がプランジャロッド６２を引くとき）の流体抵抗は増大するものの、シリンジ７Ａから押し出すとき（すなわち、使用者がプランジャロッド６２を押すとき）の流体抵抗を減少させることができる。シリンジ７Ａ、第一の弁部５Ｂ及び第二の弁部６Ｄの位置関係は、流動性物質移送装置の用途や流動性物質の種類等に応じて、適宜決定すれば良い。
【０１１８】
また、図１３に示すように、この実施形態５に係る三方活栓ユニット１００Ｅは、抜脱防止機構２１０，２２０，２３０を備えている。以下、この実施の形態５に係る抜脱防止機構について、抜脱防止機構２１０を例に採って説明する。
【０１１９】
図１３及び図１４に示すように、抜脱防止機構２１０は、第二の弁部６Ｄに設けられる。抜脱防止機構２１０は、係止爪部２１１と係止凸部２１２とを備えている。
【０１２０】
係止爪部２１１は、第一の筒部３９の内側面に、複数個形成されている。係止爪部２１１の個数や配置位置は任意であるが、操作性の点からは、当該内側面の全周にわたって形成することが好ましい。係止爪部２１１は、上記所定回転方向の逆側に傾いた状態に、形成される。すなわち、係止爪部２１１の傾き角度θ１（図１５（ａ）参照）は、９０度よりも小さく設定される。
【０１２１】
係止凸部２１２は、第二の筒部４４の外側面に、複数個形成されている。係止凸部２１２の個数や配置位置は、任意である。この実施の形態５では、係止凸部２１２は、略三角形に形成されている。そして、この係止凸部２１２は、所定回転方向（ここでは、第一の筒部３９と第２の筒部４４とを螺合させるときに、第一の筒部３９を回転させる方向）側の角θ２が略９０度に形成され、且つ、反対側の角θ３が鋭角に形成されている（図１５（ａ）参照）。
【０１２２】
抜脱防止機構２１０の原理について、図１３及び図１５を用いて説明する。
【０１２３】
上述の実施の形態１と同様、第二の弁部６Ｄを組み立てるとき、使用者は、第一の筒部３９の先端部分を、第二の筒部４４の先端部分に嵌合させて、所定方向（図１５（ａ）の矢印Ａ方向）に回転させる。これにより、雄ねじ４５Ａ及び雌ねじ１８Ａが螺合して、第一の筒部３９の先端部分が第二の筒部４４の基端部分に近づいていき、その後、係止爪部２１１と係止凸部２１２とが重なり合った状態になる。
【０１２４】
このとき、係止凸部２１２は、係止爪部２１１を、径方向に押圧する。このため、該係止爪部２１１は、第一の筒部３９側に変形する。これにより、該第一の筒部３９の回転が許可される。
【０１２５】
一方、第一の筒部３９を第二の筒部４４から抜脱させようとしたとき、使用者は、第一の筒部３９を、方向Ｂに回転させようとする（図１５（ｂ）参照）。このとき、係止凸部２１２は、係止爪部２１１を、径方向に変形させることができない。すなわち、係止凸部２１２は、係止爪部２１１に係合して、第一の筒部３９の回転を阻止する。上述のように、第一の筒部３９と第二の筒部４４とは雄ねじ４５Ａ及び雌ねじ１８Ａによって螺合している。このため、第一の筒部３９を回転させることができなければ、第一の筒部３９を第二の筒部４４から抜脱させることもできない。従って、第二の弁部６Ｄの第一、第二のハウジング３５，３６を接合したあとは、これら第一、第二のハウジング３５，３６を分離させることはできない。
【０１２６】
なお、抜脱防止機構２２０を構成する係止爪部２２１及び係止凸部２２２の構成や、抜脱防止機構２３０を構成する係止爪部２３１及び係止凸部２３２の構成も、抜脱防止機構２１０と同様である。
【０１２７】
このように、この実施の形態５では、係止爪部２１１と係止凸部２１２とを用いて抜脱防止機構２１０を構成することにより、連結部１３や排出部６５の抜脱を、簡単且つ安価な構造で、確実に防止することができる。
【０１２８】
図１６は、この実施の形態５に係る指掛け帯部材２４０の構造を示している。
【０１２９】
図１６に示したように、この実施の形態５に係る指掛け帯部材２４０は、本体部２４１と、フック部２４２とを備えている。本体部２４１及びフック部２４２は、屈曲可能な材料で、帯状に、一体成形されている。指掛け帯部材２４０の形成材料としては、例えばエラストマー樹脂を使用できる。
【０１３０】
本体部２４１は、使用者がプランジャロッドを操作し易いことや、挿入された指の痛み等を感じないようにすること等を考慮して、長さ、幅及び硬さ等が決定されている。
【０１３１】
フック部２４２は、本体部２４１の両端部分に設けられる。これらのフック部２４２は、幅狭の陥入部２４３を備えている。更に、各フック部２４２は、左右対称に突出した抜け止め部２４４，２４４を、複数ペアずつ備えている。陥入部２４３と抜け止め部２４４とは、フック部２４２に、交互に形成されている。
【０１３２】
陥入部２４３は、プランジャロッド６２の基端部６４に形成された溝６４ａに、陥入される。いずれかの陥入部２４３が溝６４ａに陥入されたとき、その陥入部２４３の直下に位置する抜け止め部ペア２４４，２４４が、指掛け帯部材２４０の抜け止めに使用される。このように、陥入部２４３と抜け止め部２４４とを交互に複数個ずつ形成することにより、指掛け帯部材２４０の径を自在に調整することができる。
【０１３３】
このように、この実施の形態５では、プランジャロッド６２と指掛け帯部材２４０とを個別に形成し、フック部２４２を用いて接合することとした。このため、十分な剛性を有する材料でプランジャロッド６２を形成しつつ、指掛け帯部材２４０を軟質の材料で形成することが可能になる。従って、利用者が指の痛み等を感じることを防止して、快適な操作性を実現することが可能となる。
【０１３４】
さらには、使用者の指の太さ等に応じて、指掛け帯部材２４０の径を自在に調整することができ、この点でも操作性を向上させることができる。
【０１３５】
なお、図１２に示した三方活栓ユニット１００Ｅの構造は、上述の実施の形態１〜４の流動性物質移送装置にも適用することができる。
【０１３６】
また、図１３及び図１４に示した抜脱防止機構２１０の構造は、上述の実施の形態１〜４の流動性物質移送装置にも適用することができる。
【０１３７】
更に、図１６に示したような指掛け帯部材２４０の構造は、上述の実施の形態１〜４の流動性物質移送装置にも適用することができる。
【０１３８】
以上、本発明の実施の形態について説明したが、本発明はこれら実施の形態１〜５に限定されるものではない。
【０１３９】
例えば、上記実施の形態１〜５では、第一の逆止弁部１２Ａ及び第二の逆止弁部３３Ａの両方に本発明の逆止弁を使用したが、二つの逆止弁部１２Ａ，３３Ａの何れか一方のみに本発明の逆止弁を用いてもよい。
【０１４０】
また、上記実施の形態１〜５では、連結部１３の外周部に滑り止め３２を設ける構成としたが、連結部１３に滑り止め３２のない構成であってもよい。
【０１４１】
また、上記実施の形態１〜５では、第一の弁部５の第一のハウジング１４及び第二の弁部６の第二のハウジング３６を分岐流路４と一体に成形したが、これらを一体に形成せず、個別に形成した後で相互に接合する構成でもよい。さらには、シリンジ７Ａと分岐流路４とを個別に形成して、相互に接合することとしてもよい。
【０１４２】
指掛け部は、上述のリング部材６３や指掛け帯部材２４０に限定されず、使用者の指を挿入してプランジャ部５５を操作できるものであればどのようなものでもよい。
【符号の説明】
【０１４３】
１００Ａ，１００Ｂ，１００Ｃ，１００Ｄ，１００Ｅ  流動性物質移送装置
１Ａ，１Ｂ，１Ｃ，１Ｄ  三方活栓ユニット
２Ａ，２Ｂ，２Ｃ  袋体
３  移送用チューブ
４  分岐流路
５Ａ，５Ｂ  第一の弁部
６Ａ，６Ｂ，６Ｃ，６Ｄ  第二の弁部
７Ａ，７Ｂ  シリンジ
８  第一の流路
９  第二の流路
１０  第三の流路
１１  合流点
１２Ａ  第一の逆止弁部（逆止弁）
１４，３５  第一のハウジング
１５，３７  弁座
１６，３８  流入口（流通口）
１７  第一の筒部
１９  開口
２０，３６  第二のハウジング
２３  第二の筒部
２６  弁体
２９  開閉弁
３３Ａ  第二の逆止弁部（逆止弁）
３４  接続部
４１，５０，６７，８４  開口
５１  係合爪部
５４  シリンダ部
５５  プランジャ部
６１  プランジャヘッド
６２  プランジャロッド
６３  リング部材（挿通孔部）
６４  基端部
２４０  指掛け帯部材
２４１  本体部
２４２  フック部
【図１】
0006009354.tif 000002
【図２】
0006009354.tif 000003
【図３】
0006009354.tif 000004
【図４】
0006009354.tif 000005
【図５】
0006009354.tif 000006
【図６】
0006009354.tif 000007
【図７】
0006009354.tif 000008
【図８】
0006009354.tif 000009
【図９】
0006009354.tif 000010
【図１０】
0006009354.tif 000011
【図１１】
0006009354.tif 000012
【図１２】
0006009354.tif 000013
【図１３】
0006009354.tif 000014
【図１４】
0006009354.tif 000015
【図１５】
0006009354.tif 000016
【図１６】
0006009354.tif 000017